(57)【要約】訴求効果を高めることができる物品情報表示システムを提供する。物品情報表示システム（１）は電子ペーパー（１０）を含む表示媒体（１０Ａ）と、物品（２）を載置する載置台（１２）と、センサ（１３）とを備える。センサ（１３）からの情報に基づいて、制御部（１１）は電子ペーパー（１０）を制御して、表示媒体（１０Ａ）に物品の物品情報を物品（２）の有無に応じて表示させる。
2018151248.tif 000002
【特許請求の範囲】
【請求項１】
物品の物品情報を表示する物品情報表示システムにおいて、  電子ペーパーを含む表示媒体と、  物品を載置する載置台と、  この載置台に載置された物品を検出する検出器と、  前記検出器からの情報に基づいて、前記表示媒体の前記電子ペーパーを制御して、前記表示媒体に物品の有無に応じて物品の物品情報を表示させる制御部とを備えた、物品情報表示システム。
【請求項２】
前記制御部は、前記検出器が物品を検出した場合は前記表示媒体に物品を検出した旨の表示を実行させ、前記検出器が物品を検出しない場合は前記表示媒体に物品を検出しない旨の表示を実行させる、物品情報表示システム。
【請求項３】
前記表示媒体は立体構造をもつ、請求項１または２記載の物品情報表示システム。
【請求項４】
前記表示媒体に表示させる物品を検出した旨の表示は、コンテンツを含む、請求項２または３記載の物品情報表示システム。
【請求項５】
前記表示媒体に表示させる物品を検出しない旨の表示は、商品の情報を含む、請求項２乃至４のいずれか記載の物品情報表示システム。
【請求項６】
物品の物品情報を表示する物品情報表示システムにおいて、  電子ペーパーを含む表示媒体と、  前記表示媒体に物品情報を表示させる制御部とを備え、  前記表示媒体と前記制御部はアーム部により連結されている、物品情報表示システム。
【請求項７】
物品の物品情報を表示する物品情報表示システムにおいて、  電子ペーパーを含む表示媒体と、  前記表示媒体に物品情報を表示させる制御部とを備え、  前記表示媒体と前記制御部は一体に形成され、かつ一体に形成された前記表示媒体と前記制御部は外部フレームにアーム部により連結されている、物品情報表示システム。
【請求項８】
前記アーム部はバネ性材料からなり、スイング可能となる、請求項６または７記載の物品情報表示システム。
【請求項９】
物品の物品情報を表示する物品情報表示システムにおいて、  各々が電子ペーパーを含む複数の表示媒体と、  物品を載置する複数の載置台と、  各載置台に載置された物品を各々検出する複数の検出器と、  各検出器からの情報に基づいて、前記複数の表示媒体の電子ペーパーを制御して、この電子ペーパーに物品の物品情報を各々表示させる制御部とを備えた、物品情報表示システム。
【請求項１０】
各検出器は、前記物品に付されたＲＦタグを無線で読み取る読み取りリーダを含む、請求項９記載の物品情報表示システム。
【請求項１１】
一の検出器に対して一の表示媒体が対応し、各表示媒体は対応する検出器で検出された物品の物品情報を表示する、請求項９記載の物品情報表示システム。
【請求項１２】
一の検出器に対して複数の表示媒体が対応し、各表示媒体は対応する検出器で検出された物品の物品情報を表示する、請求項９記載の物品情報表示システム。
【発明の詳細な説明】
【技術分野】
【０００１】  本発明は、店舗で使用される載置台の表示媒体として用いられる電子ペーパーを有する物品情報表示システムに関する。
【背景技術】
【０００２】  店舗で使用される販売促進媒体の訴求効果（Appeal Effect）を高める様々な試みが以前よりなされている。近年、低消費電力で画像を表示できる電子ペーパーが開発されたことを受けて、販売促進媒体の訴求効果を高めるために、表示媒体に電子ペーパーを用いた電子ＰＯＰ（Point of purchase advertising）が提案されている（例えば、特許文献１）。
【先行技術文献】
【特許文献】
【０００３】
【特許文献１】特開２０１４−１１２１５９号公報
【発明の概要】
【発明が解決しようとする課題】
【０００４】  特許文献１では、表示媒体に電子ペーパーを用いた電子ＰＯＰが提案されているが、電子ペーパーは、化粧品などの商品の使用感を消費者が実感できるように店舗に置かれ、店舗見本とも称されるテスターを載置するテスター陳列台の表示部として用いることもできる。テスター陳列台の表示部に電子ペーパーを用いることで、テスター陳列台のアイキャッチ効果が向上し、テスター陳列台の訴求効果を高めることができる。他方、他のテスター陳列台との差別化を図るために、表示部に電子ペーパーを用いた場合であっても、テスター陳列台の訴求効果（Appeal Effect）をより高めることが望まれる。【０００５】  そこで、本発明は、電子ペーパーを表示媒体に用いた物品情報表示システムにおいて、訴求効果をより高めることを目的とする。
【課題を解決するための手段】
【０００６】  本発明は、物品の物品情報を表示する物品情報表示システムにおいて、電子ペーパーを含む表示媒体と、物品を載置する載置台と、この載置台に載置された物品を検出する検出器と、前記検出器からの情報に基づいて、前記表示媒体の前記電子ペーパーを制御して、前記表示媒体に物品の有無に応じて物品の物品情報を表示させる制御部とを備えた、物品情報表示システムである。【０００７】  本発明は、前記制御部は、前記検出器が物品を検出した場合は前記表示媒体に物品を検出した旨の表示を実行させ、前記検出器が物品を検出しない場合は前記表示媒体に物品を検出しない旨の表示を実行させる、物品情報表示システムである。【０００８】  本発明は、前記表示媒体は立体構造をもつ、物品情報表示システムである。【０００９】  本発明は、前記表示媒体に表示させる物品を検出した旨の表示は、コンテンツを含む、物品情報表示システムである。【００１０】  本発明は、前記表示媒体に表示させる物品を検出しない旨の表示は、商品の情報を含む、物品情報表示システムである。【００１１】  本発明は、物品の物品情報を表示する物品情報表示システムにおいて、電子ペーパーを含む表示媒体と、前記表示媒体に物品情報を表示させる制御部とを備え、前記表示媒体と前記制御部は別体で、かつ前記表示媒体と前記制御部はアーム部により連結されている、物品情報表示システムである。【００１２】  本発明は、物品の物品情報を表示する物品情報表示システムにおいて、電子ペーパーを含む表示媒体と、前記表示媒体に物品情報を表示させる制御部とを備え、前記表示媒体と前記制御部は一体に形成され、かつ一体に形成された前記表示媒体と前記制御部は外部フレームにアーム部により連結されている、物品情報表示システムである。【００１３】  本発明は、前記アーム部はバネ性材料からなり、外力によりスイング可能となる、物品情報表示システムである。【００１４】  本発明は、物品の物品情報を表示する物品情報表示システムにおいて、各々が電子ペーパーを含む複数の表示媒体と、物品を載置する複数の載置台と、各載置台に載置された物品を各々検出する複数の検出器と、各検出器からの情報に基づいて、前記複数の表示媒体の電子ペーパーを制御して、この電子ペーパーに物品の物品情報を各々表示させる制御部とを備えた、物品情報表示システムである。【００１５】  本発明は、各検出器は、前記物品に付されたＲＦタグを無線で読み取る読み取りリーダを含む、物品情報表示システムである。【００１６】  本発明は、一の検出器に対して一の表示媒体が対応し、各表示媒体は対応する検出器で検出された物品の物品情報を表示する、物品情報表示システムである。【００１７】  本発明は、一の検出器に対して複数の表示媒体が対応し、各表示媒体は対応する検出器で検出された物品の物品情報を表示する、物品情報表示システムである。
【発明の効果】
【００１８】  本発明によれば、物品の訴求効果（Appeal Effect）を高めることができる。
【図面の簡単な説明】
【００１９】
【図１Ａ】図１Ａは第１の実施の形態に係るテスター陳列台を説明する図。
【図１Ｂ】図１Ｂは第１の実施の形態に係るテスター陳列台を説明する図。
【図２】図２は本実施形態に係るテスター陳列台が備える電子ペーパーを説明する図。
【図３Ａ】図３Ａは第１の実施の形態に係るテスター陳列台が備える制御装置の動作を説明する図。
【図３Ｂ】図３Ｂは第１の実施の形態に係るテスター陳列台が備える制御装置の動作を説明する図。
【図４】図４はテスター陳列台の変形例を説明する図。
【図５】図５はテスター陳列台の変形例を説明する図。
【図６】図６は第２の実施の形態に係る商品情報表示システムを説明する図。
【図７】図７は第２の実施の形態に係る商品情報表示システムのブロック図。
【図８】図８は第２の実施の形態の表示制御装置が備えるリーダ装置の動作を説明する図。
【図９】図９は第２の実施の形態の表示制御装置が備えるコントローラの動作を説明する図。
【図１０】図１０は第３の実施の形態に係る商品情報表示システムを説明する図。
【図１１】図１１は第３の実施の形態に係る商品情報表示システムのブロック図。
【図１２】図１２は変形例による広告表示媒体を説明する図。
【図１３】図１３は第３の実施の形態の表示制御装置が備えるリーダ装置の動作を説明する図。
【図１４】図１４は第３の実施の形態の表示制御装置が備えるコントローラの動作を説明する図。
【図１５Ａ】図１５Ａは電子ペーパーを含む表示媒体の変形例を示す図。
【図１５Ｂ】図１５Ｂは電子ペーパーを含む表示媒体の変形例を示す図。
【図１５Ｃ】図１５Ｃは電子ペーパーを含む表示媒体の変形例を示す図。
【図１５Ｄ】図１５Ｄは電子ペーパーを含む表示媒体の変形例を示す図。
【図１６】図１６はスイング型アーム部を有する表示媒体の変形例を示す図。
【発明を実施するための形態】
【００２０】＜第１の実施の形態＞  次に、本発明の好適な第１の実施の形態を記載する。なお、以下の記載は本発明の技術的範囲を束縛するものでなく、理解を助けるために記述するものである。
【００２１】  図１Ａ、図１Ｂは、第１の実施の形態に係るテスター陳列台（物品情報表示システムともいう）１を説明する図である。このうち図１Ａは、本実施形態に係るテスター陳列台１の外観を説明する図で、本実施形態に係るテスター陳列台１は、テスター陳列台１の訴求効果（Appeal Effect）を高める画像の表示に用いる電子ペーパー１０を含む表示媒体１０Ａと、電子ペーパー１０を含む表示媒体１０Ａに表示させる画像を制御する制御部１１と、化粧品などの商品のテスター（物品ともいう）２を置くテスター載置部（載置台ともいう）１２とを備え、電子ペーパー１０からなる表示媒体１０Ａは、テスター２のイメージに合わせて立体的に成形されている。
【００２２】  本実施形態において、テスター陳列台１の表示部となる表示媒体１０Ａは立体的に成形されている。このように表示媒体１０Ａが立体的に成形されているのは、テスター陳列台１のアイキャッチ効果を高めるためである。テスター陳列台１の表示部が板状の場合、表示部に印刷または表示された画像を視認できる方向は表示部の正面に限定されるが、電子ペーパー１０からなる表示媒体１０Ａを立体的に成形することで、正面以外の方向（例えば、左右）からも電子ペーパー１０に表示された画像を視認でき、テスター陳列台１のアイキャッチ効果が高まることで、テスター陳列台１の訴求効果を高めることができる。
【００２３】  図１Ｂは、本実施形態に係るテスター陳列台１のブロック図である。実施形態に係るテスター陳列台１は、上述のようにテスター２に対応する商品の訴求効果を高める画像の表示に用いる電子ペーパー１０を含む表示媒体１０Ａと、電子ペーパー１０を含む表示媒体１０Ａに表示させる画像を制御する制御部１１と、テスター２を置くためのテスター載置部１２とを備え、これに加えて、テスター載置部１２に置かれたテスター２の検出に用いるセンサ１３（検出器）を備える。また、本実施形態のテスター陳列台１は、電子ペーパー１０からなる表示媒体１０Ａ、制御部１１およびセンサ１３に電力を供給する蓄電池１４を備えているが、テスター陳列台１の外部から電力の供給を受けるように構成することも可能である。
【００２４】  図２は、本実施形態に係るテスター陳列台１が備える表示媒体１０Ａの電子ペーパー１０を説明する図である。本実施形態に係るテスター陳列台１が備える電子ペーパー１０は、無色かつ透明な透明基材１００ｂと、この透明基材１００ｂ上に形成された透明電極１００ａとを有する表面基材層１００と、ツイストボール方式の表示媒体層１０１と、背面基材層１０２とを備え、このうち背面基材層１０２は有機ＴＦＴ素子１０２ｄを含むドライバ層１０２ｂと、ドライバ層１０２ｂ下面に設けられた背面基材１０２ｃと、ドライバ層１０２ｂ上面に設けられたマトリクス状の画素電極１０２ａとを有する。
【００２５】  本実施形態では、電子ペーパー１０の方式をツイストボール方式にしているが、電子ペーパー１０の方式はツイストボール方式以外の方式（例えば、電気泳動方式）でも構わない。ツイストボール方式の電子ペーパー１０の表示媒体層１０１には、半面ずつ異なる色（ここでは、白と黒）に塗り分けられた複数のツイストボール（双極性球状粒子）１０１ａが低極性溶媒１０１ｂに封入され、異なる色に塗り分けられているツイストボール１０１ａの半面毎に極性を変えて電荷を帯電させる。このことにより、表面になるツイストボール１０１ａの色を透明電極１００ａと画素電極１０２ａ間の印加電圧によって制御できる。
【００２６】  電子ペーパー１０が有する表面基材層１００の透明電極１００ａには、ＩＺＯ（Indium Zinc Oxide、酸化インジウム亜鉛）なども使用できるが、ＩＴＯ（Indium Tin Oxide、酸化インジウムスズ）を使用するのが一般的である。また、透明電極１００ａが形成される透明基材１００ｂは、無色かつ透明で、かつ、可撓性のあるフレキシブル基材で、このようなフレキシブル基材としては、例えば、ポリエチレンテレフタレート（ＰＥＴ）、ポリイミド（ＰＩ）などを使用できる。透明電極１００ａが形成される透明基材１００ｂの厚みに関しては、立体的に形成された電子ペーパー１０の形状を保持できれば特に限定しないが、１０μｍ〜５００μｍの範囲が好適である。
【００２７】  電子ペーパー１０が有する背面基材層１０２の画素電極１０２ａには、表面基材層１００の透明電極１００ａと同様に、ＩＴＯ（Indium Tin Oxide、酸化インジウムスズ）を好適に使用できる。背面基材層１０２を構成するドライバ層１０２ｂは、画素電極１０２ａに印加する電圧を制御するための回路が実装される層で、ドライバ層１０２ｂをフレキシブル化するために、有機ＴＦＴ素子１０２ｄを利用して、画素電極１０２ａに印加する電圧を制御するための回路をドライバ層１０２ｂに実装するのが好適である。背面基材層１０２の背面基材１０２ｃとしては、表面基材層１００の透明基材１００ｂと同様に、ポリエチレンテレフタレート（ＰＥＴ）、ポリイミド（ＰＩ）などを使用でき、その厚みに関しては、１０μｍ〜５００μｍの範囲が好適である。なお、背面基材１０２ｃは透明である必要はないので、背面基材１０２ｃの裏側には、所定の印刷を施すことができる。
【００２８】  これまで説明した電子ペーパー１０を含む表示媒体１０Ａを立体的に成形する手法は様々考えられる。板状の電子ペーパー１０を用意し、プレス機などで型押しすることで、電子ペーパー１０を所定の立体形状に成形できるが、所定の立体形状に成形した表面基材層１００と背面基材層１０２を用意し、立体的に成形した背面基材層１０２と表示媒体層１０１を貼り合せてから表面基材層１００を貼り合せることでも、電子ペーパー１０を立体的に成形できる。
【００２９】  上述したように、テスター陳列台１の表示部となる電子ペーパー１０を含む表示媒体１０Ａを立体的に成形することで、テスター陳列台１のアイキャッチ効果を高め、テスター陳列台１の訴求効果を高めることができるが、本実施形態では、テスター２を使用している時の訴求効果をより高めるため、テスター載置部１２に置かれたテスター２が消費者３の手に取られたときに、電子ペーパー１０に表示する画像を変更するようにしている。
【００３０】  実施形態に係るテスター陳列台１のセンサ（検出器）１３は、テスター載置部１２に置かれているテスター２の有無を検出するためにテスター陳列台１に備えられ、センサ１３はテスター２の検出結果を所定間隔で制御部１１に出力する。テスター載置部１２に置かれたテスター２の有無を検出できればセンサ１３の種類は問わないが、テスター陳列台１の価格を安価にすることを考慮すると、反射型のフォトセンサをセンサ１３として利用することが好適である。
【００３１】  テスター陳列台１のセンサ１３は、テスター陳列台１が備える制御部１１と電気的に接続し、テスター載置部１２に置かれたテスター２を検出したときは、テスター２がテスター載置部１２に有ることを示すテスター２の検出信号を制御部１１に出力する。センサ１３はテスター載置部１２に置かれたテスター２を検出できないときは、テスター２がテスター載置部１２に無いことを示すテスター２の非検出信号を制御部１１に出力する。
【００３２】  本実施形態に係るテスター陳列台１が備える制御部１１は、表示媒体１０Ａの電子ペーパー１０に表示する画像やコンピュータプログラムを記憶する電気的に書き換え可能なメモリやＣＰＵなどを有するコンピュータ基板である。テスター陳列台１が備える制御部１１は、電子ペーパー１０の背面基材層１０２に設けられたドライバ層１０２ｂを利用して、電子ペーパー１０の画素電極１０２ａに印加する電圧を画素電極１０２ａ毎に制御し、センサ１３の出力が信号に応じた画像を電子ペーパー１０の表示媒体層１０１に表示させる。
【００３３】  図３Ａ、図３Ｂは本実施形態に係るテスター陳列台１の制御部１１の動作を説明する図である。本実施形態に係るテスター陳列台１の制御部１１は、センサ１３がテスター２を検出しているときに電子ペーパー１０に表示する画像であるテスター陳列時の画像と、センサ１３がテスター２を検出していないときに電子ペーパー１０に表示する画像であるテスター試用時の画像を記憶している。テスター２がテスター載置部１２に置かれた状態で、センサ１３がテスター２の検出信号を出力しているとき、電子ペーパー１０に表示される画像はテスター陳列時の画像になる（図３Ａ）。
【００３４】  電子ペーパー１０がテスター陳列時の画像を表示しているときに、テスター載置部１２に置かれたテスター２を消費者３が手にとることで、センサ１３がテスター２を検出しなくなる。テスター２の非検出信号がセンサ１３から入力されると、テスター陳列台１の制御部１１は、電子ペーパー１０に表示させる画像をテスター陳列時の画像からテスター試用時の画像に切り替える（図３Ｂ）。
【００３５】  電子ペーパー１０にテスター試用時の画像を表示させているときに、消費者３がテスター２をテスター載置部に戻す。この場合、テスター２の検出信号がセンサ１３から入力され、電子ペーパー１０に表示させる画像をテスター試用時の画像からテスター陳列時の画像に切り替え、電子ペーパー１０に表示される画像は図３Ａに戻る。
【００３６】  テスター陳列台１の電子ペーパー１０に表示するテスタ陳列時の画像（センサ１３がテスター２を検出したときの画像）は、テスター陳列台１が消費者３の目にとまるように、アイキャッチ効果の高い画像にすることが好適である（図３Ａ参照）。更に、テスター陣列時の画像をアイキャッチ効果の高い動画（コンテンツ）にすると、電子ペーパー１０に静止画を表示するときよりも、テスター陳列台1のアイキャッチ効果をより高められる。また、テスター陳列台１の電子ペーパー１０に表示するテスター試用時の画像（センサ１３がテスター２を検出しないときの画像）は、消費者３がテスター２を試用するケースが増えるように、テスター２の訴求効果を高める画像にすることが好適である。例えば、テスター２の訴求効果を高める画像としては、テスター２に対応する商品を説明する画像やテスター２の試し方を説明する画像でもよいが、テスター２に対応する商品のイメージ画像とすることもできる。いずれにしても、センサ１３がテスター２を検出しないときの画像は商品の中味（商品の情報）を含む画像となっている（図３Ｂ参照）。
【００３７】  次に、本実施形態に係るテスター陳列台１の変形例について説明する。図４は、テスター陳列台１の変形例を説明する図、図５は、テスター陳列台１の変形例を説明する図である。図１で図示したテスター陳列台１では、電子ペーパー１０を含む表示媒体１０Ａを波状に成形していたが、電子ペーパー１０を含む表示媒体１０Ａの立体形状は、電子ペーパー１０が作動する限り任意でよい。例えば、図４で図示したテスター陳列台４では、テスター陳列台４のアイキャッチ効果を高めるために電子ペーパー４０を含む表示媒体４０Ａを亀甲状に成形している。図４で図示したテスター陳列台４では、電子ペーパー４０を含む表示媒体４０Ａと制御部１１が一体化した構成になっており、テスター載置部１２として機能する孔１２ａが制御部１１の上面に設けられている。また、図５で図示したテスター陳列台５は、箱状に成形された複数の電子ペーパー５０を含む表示媒体５０Ａを備え、テスター陳列台５は、箱状に成形された複数の電子ペーパー５０に表示させる画像をそれぞれ制御する。
【００３８】  すなわち図１Ａ、図１Ｂで図示したテスター陳列台１では、電子ペーパー１０の数は一つであったが、図５で図示したテスター陳列台５は、箱状に成形された複数の電子ペーパー５０を含む表示媒体５０Ａを備え、テスター陳列台５の制御部１１は、箱状に成形された複数の電子ペーパー５０に表示させる画像を制御する。図５で図示したテスター陳列台５において、電子ペーパー５０を含む表示媒体５０Ａと制御部１１が一体化した構成になっており、テスター載置部１２として機能する孔１２ａが制御部１１の上面に設けられている。
【００３９】  このように、図４および図５において、テスター陳列台４、５の表示媒体４０Ａ、５０Ａとなる電子ペーパー４０、５０を立体的に成形することで、テスター陳列台４、５の表示媒体が板状の場合よりも、テスター陳列台４、５のアイキャッチ効果を向上させることができる。テスター陳列台４、５の表示媒体が板状の場合、表示媒体に印刷または表示された画像を視認できる方向は表示部の正面に限定されるが、電子ペーパー４０、５０を立体的に成形することで、正面以外の方向（例えば、左右）からも電子ペーパー４０、５０に表示された画像を視認でき、テスター陳列台４、５のアイキャッチ効果は高まり、テスター陳列台の訴求効果を高められる。
【００４０】＜第２の実施の形態＞  図６は、第２の実施の形態に係る商品情報表示システム（物品情報表示システムともいう）２０１を説明する図である。本実施の形態に係る商品情報表示システム２０１は、各々が電子ペーパー（Electronic Paper Display）２１１ａを含む複数の広告表示媒体（表示媒体ともいう）２１１、２１１、…と、商品（物品ともいう）２１２を載置する複数の載置台３０１Ａ、３０１Ａ、…と、各載置台３０１Ａ、３０１Ａ、…に設けられ、各載置台３０１Ａ、３０１Ａに載置された商品２１２を各々検出するリーダ装置（検出器ともいう）３０１、３０１とを備えている。また商品情報表示システム２０１は後述のように表示制御装置（制御部）２１０を備えている。このうち商品（物品ともいう）２１２には、商品コードが付されており、商品２１２の商品コードが複数のリーダ装置３０１により読み取られる。また本実施の形態において、広告表示媒体２１１の数は、載置台３０１Ａのリーダ装置３０１の数と同じになっている。
【００４１】  表示制御装置（制御部）２１０は、一つのリーダ装置３０１に属する広告表示媒体２１１をリーダ装置３０１ごとに定義した情報を記憶し、商品コードを読み取ったリーダ装置３０１に属する広告表示媒体２１１に、リーダ装置３０１が読み取った商品コードに対応する商品情報を表示させる。ここで、広告表示媒体２１１がリーダ装置３０１に属するとは、一つの広告表示媒体２１１が一つのリーダ装置３０１に対応付けられていることを意味する。本実施の形態において、広告表示媒体２１１の数は、リーダ装置３０１の数（６つ）と同じになっているので、表示制御装置２１０は、商品コードを読み取ったリーダ装置３０１に対応する広告表示媒体２１１に、リーダ装置３０１が読み取った商品コードに対応する商品情報を表示させる。
【００４２】  載置台３０１Ａのリーダ装置３０１の形態は、商品コードを商品２１２に付加する形態に依存する。通常、商品コードをエンコードしたバーコードが商品２１２に印刷されているため、このバーコードを利用する場合、リーダ装置３０１の形態は、赤外線やカメラなどを商品コードの読み取りに利用するバーコードリーダになる。しかし、バーコードの印刷位置は商品２１２ごとに異なるため、本実施の形態では、商品コードを記憶させたＲＦタグ２１３（RF: Radio Frequency）を商品２１２の所定位置（例えば、底面）に貼付し、ＲＦタグ２１３と無線によりデータ通信する装置（ＲＦタグ２１３用のリーダライタ）によりリーダ装置３０１が構成される。
【００４３】  商品２１２に貼付するＲＦタグ２１３に記憶させる商品コードは、商品情報表示システム２０１で独自に定めたデータでもよいが、商品２１２に印刷されているバーコードにエンコードされているデータを商品コードに用いることが好適である。また、ＲＦタグ２１３を貼り付ける商品２１２は、商品情報表示システム２０１を設置する店舗で販売されている販売商品でもよいが、この販売商品の試用商品であってもよい。
【００４４】  図７は、第２の実施の形態に係る商品情報表示システム２０１のブロック図である。第２の実施の形態に係る商品情報表示システム２０１は、電子ペーパー２１１ａを用いて情報を表示する複数の広告表示媒体２１１を備える。電子ペーパー２１１ａを用いて情報を表示する広告表示媒体２１１の形態は任意である。第２の実施の形態の広告表示媒体２１１は、電子ＰＯＰの形態をなしているが、スウィングＰＯＰの形態であってもよい。また、第２の実施の形態では、複数の広告表示媒体２１１をマトリクス状（２行３列）に配置しているが、複数の広告表示媒体２１１の配置方法は任意でよい。例えば、複数の広告表示媒体２１１を一列に配置してもよいし、また、複数の広告表示媒体１１をＶ字状に配置することもできる。
【００４５】  なお、各広告表示媒体２１１が有する電子ペーパー２１１ａの構造は、図２に示す構造と略同一である。
【００４６】  図７で図示したように、商品情報表示システム２０１の表示制御装置２１０は、商品２１２から商品コードを読み取る複数のリーダ装置３０１のうち、一つのリーダ装置３０１に属させる一つの広告表示媒体２１１をリーダ装置３０１ごとに定義した定義情報３０２を記憶し、商品コードを読み取ったリーダ装置３０１に属する広告表示媒体２１１に、リーダ装置３０１が読み取った商品コードに対応する商品情報を表示させる処理を実行するコントローラ３００を備える。また、表示制御装置２１０は、広告表示媒体２１１に表示させる商品情報を記憶したＤＢ（Data Base）である商品情報ＤＢ２１４に接続されている。
【００４７】  上述したように、本実施の形態では、ＲＦタグ２１３用のリーダライタによりリーダ装置３０１を構成している。このためリーダ装置３０１は、電力を供給するための電波を発信し、この電波を利用してＲＦタグ２１３と通信するＲＦインターフェース回路と、表示制御装置２１０のコントローラ３００と通信し、コントローラ３００から受信した指示を実行する制御回路などを有する。なお、商品２１２に貼付するＲＦタグ２１３の種別は問わない。商品２１２に貼付するＲＦタグ２１３は、ＩＳＯ１４４４３で規格化されている近接型ＩＣカードでもよいが、ＲＦタグ２１３をラベル形状にでき、かつ、ＲＦタグ２１３の価格が安価であることを考慮するとＩＳＯ１５６９３で規格化されている近傍型ＩＣカードを用いるのが好適である。なお、近傍型ＩＣカードの通信距離は数ｍにも及ぶため、近傍型ＩＣカードをＲＦタグ２１３に用いる場合、リーダ装置３０１に載せられたＲＦタグ２１３のみをリーダ装置３０１が検出できるように、リーダ装置３０１の電波出力を調整しておくことが必要になる。
【００４８】  一つのリーダ装置３０１に属する（対応する）一つの広告表示媒体２１１を、リーダ装置３０１ごとに特定する（定義する）手法は任意であるが、本実施の形態では、一つのリーダ装置３０１に属する（対応する）一つの広告表示媒体２１１を特定するために識別番号を利用する。本実施の形態では、広告表示媒体２１１およびリーダ装置３０１それぞれに識別番号を設定しておき、定義情報３０２には、リーダ装置３０１の識別番号に関連付けて、リーダ装置３０１に属する広告表示媒体１１の識別番号を記述している。
【００４９】  本実施の形態では、表示制御装置２１０に接続されたリーダ装置３０１の数を広告表示媒体２１１の数と同じにし、一つのリーダ装置３０１に一つの広告表示媒体２１１を属させているため（対応させるため）、リーダ装置３０１に属する広告表示媒体２１１は、リーダ装置３０１と同じ識別番号が付与されている広告表示媒体２１１になる。例えば、上段左に配置されたリーダ装置３０１の識別番号は「１」で、識別番号が「１」のリーダ装置３０１に属する広告表示媒体２１１の識別番号は「１」で、上段左に配置された広告表示媒体２１１になる。同様に、下段右に配置されたリーダ装置３０１の識別番号は「６」で、識別番号が「１」のリーダ装置３０１に属する広告表示媒体２１１の識別番号は「６」で、下段右に配置された広告表示媒体２１１になる。
【００５０】  表示制御装置２１０が備える商品情報ＤＢ２１４には、商品（物品ともいう）２１２に貼り付けられたＲＦタグ２１３に記憶させた商品コードに対応付けて、商品コードに対応する商品２１２の商品情報が記憶されている。商品情報ＤＢ２１４に記憶させる商品情報としては、商品２１２を説明する映像や商品２１２のキャッチコピーなどの映像でもよいが、商品２１２のイメージ映像であってもよい。なお、商品情報ＤＢ２１４を有する装置は、表示制御装置２１０に接続しているストレージデバイス（例えば、ハードディスク）でもよいが、ネットワークを介して表示制御装置２１０と接続しているストレージサーバでもよい。
【００５１】  表示制御装置２１０のコントローラ３００は、ＣＰＵ、ＲＡＭ、ＲＯＭおよびＮＶＭなど有するコンピュータで、ＲＯＭなどに記憶されたコンピュータプログラムに従い、所定の処理を実行する。
【００５２】  図８は、本実施の形態の表示制御装置２１０の動作を説明する図である。まず載置台３０１Ａに商品２１２が載置されると、リーダ装置３０１は、表示制御装置２１０により制御され、商品２１２から商品コードを読み取る動作を周期的に行う。リーダ装置３０１は商品２１２から商品コードを読み取る動作を行うと（Ｓ１）、商品コード読み取り結果とリーダ装置３０１の識別番号をコントローラ３００へ通知して（Ｓ２）、図８の手順は終了する。
【００５３】  本実施の形態では、商品コードをＲＦタグ２１３に記憶させているため、ＲＦタグ２１３用のリーダライタであるリーダ装置３０１は、ＲＦタグ２１３の検出に用いるコマンドであるリクエストコマンドを周期的に発信し、このリクエストコマンドを受信したＲＦタグ２１３が応答することで、リーダ装置３０１の通信距離内に存在するＲＦタグ２１３（リーダ装置３０１近傍のＲＦタグ２１３）を検出する。ＲＦタグ２１３を検出すると、検出したリーダ装置３０１はＲＦタグ２１３に記憶された情報を読み取るコマンドを送信し、検出したＲＦタグ２１３が記憶している商品コードを読み取る。
【００５４】  商品２１２から商品コードを読み取ることができた場合、リーダ装置３０１は、商品コードの読み取りに成功したことを示す情報と、商品２１２から読み取った商品コードを商品コード読み取り結果に含ませる。また、商品２１２から商品コードを読み取ることができなかった場合、リーダ装置３０１は、商品コードの読み取りに失敗したことを示す情報のみを商品コード読み取り結果に含ませる。
【００５５】  図９は、本実施の形態の表示制御装置２１０が備えるコントローラ３００の動作を説明する図である。表示制御装置２１０のコントローラ３００は、リーダ装置３０１のいずれかから、商品コード読み取り結果を受信すると（Ｓ１０）、商品コード読み取り結果によって、商品コードの読み取りの成功が示されるか確認する（Ｓ１１）。
【００５６】  表示制御装置２１０のコントローラ３００は、商品コード読み取り結果によって、商品コード読み取りの成功が示される場合、定義情報３０２を参照し、商品コード読み取り結果を通知したリーダ装置３０１に属する（対応する）広告表示媒体２１１（ここでは、このリーダ装置３０１と同じ識別番号が付与されている広告表示媒体２１１になる）に商品情報を表示させているか確認する（Ｓ１２）。商品コード読み取り結果を通知したリーダ装置３０１に属する広告表示媒体２１１に商品情報を表示させていない場合、表示制御装置２１０のコントローラ３００は、リーダ装置３０１から通知された商品コードに対応する商品情報を商品情報ＤＢ２１４から検索し（Ｓ１３）、商品コードを通知したリーダ装置３０１に属する広告表示媒体２１１に対して、商品情報ＤＢ２１４から検索した商品情報の表示を指示して（Ｓ１４）、図９の手順は終了する。また、図９のＳ１２において、商品コード読み取り結果を通知したリーダ装置３０１に属する広告表示媒体２１１に商品情報をすでに表示させている場合、表示制御装置２１０のコントローラ３００は、リーダ装置３０１から通知された商品コードに対応する商品情報の表示を終了させることなく、図９の手順は終了する。
【００５７】  また、図９のＳ１１において、商品コード読み取り結果によって、商品コードの読み取りの失敗が示される場合、表示制御装置２１０のコントローラ３００は、定義情報３０２を参照し、商品コード読み取り結果を通知したリーダ装置３０１に属する広告表示媒体２１１に商品情報を表示させているか確認する（Ｓ１５）。商品コード読み取り結果を通知したリーダ装置３０１に属する広告表示媒体２１１に商品情報を表示させていない場合、表示制御装置２１０のコントローラ３００は、商品コード読み取り結果を通知したリーダ装置３０１に属する広告表示媒体２１１に商品情報を表示させることなく、図９の手順は終了する。図９のＳ１５において、商品コード読み取り結果を通知したリーダ装置３０１に属する広告表示媒体２１１に商品情報を表示させている場合、表示制御装置２１０のコントローラ３００は、商品コード読み取り結果を通知したリーダ装置３０１に属する広告表示媒体２１１に対して商品情報の表示の終了を指示して（Ｓ１６）、図９の手順は終了する。
【００５８】  表示制御装置２１０のコントローラ３００が図９の手順を実行することで、載置台３０１Ａに商品２１２が載せられると、載置台３０１Ａに載せられた商品２１２の商品情報が、商品２１２が載せられた載置台３０１Ａのリーダ装置３０１に属する広告表示媒体２１１に表示される。消費者が、比較検討したい複数の商品２１２をそれぞれ異なる載置台３０１Ａに載せた場合、商品２１２の商品情報はそれぞれ異なる広告表示媒体２１１（商品２１２を載せた載置台３０１Ａのリーダ装置３０１に属する広告表示媒体２１１）に表示されることになる。図６では、識別番号が「２」の載置台３０１Ａ（上段真ん中の載置台３０１Ａ）に載せられた商品２１２の商品情報は識別番号が「２」のリーダ装置３０１により読み取られて、識別番号が「２」の広告表示媒体２１１（上段真ん中の広告表示媒体２１１）に表示されている。また、図６では、識別番号が「６」の載置台３０１Ａ（下段右の載置台３０１Ａ）に載せられた商品２１２の商品情報は、識別番号が「６」の広告表示媒体２１１（下段右の広告表示媒体２１１）に表示されている。
【００５９】＜第３の実施の形態＞  次に本発明の第３の実施の形態について説明する。図１０は、第３の実施の形態に係る商品情報表示システム（物品情報表示システムともいう）２０２を説明する図である。第３の実施の形態に係る商品情報表示システム２０２は、各々が電子ペーパー（Electronic Paper Display）２２１ａを含む複数の広告表示媒体（表示媒体ともいう）２２１、２２１、…と、商品（物品ともいう）２２２を載置する複数の載置台４０１Ａ、４０１Ａ、…と、各載置台４０１Ａ、４０１Ａ、…に設けられ、各載置台４０１Ａ、４０１Ａに載置された商品２２２を各々検出するリーダ装置（検出器ともいう）４０１、４０１とを備えている。また商品情報表示システム２０２は後述のように表示制御装置（制御部）２２０を備えている。このうち、商品（物品ともいう）２２２には商品コードが付されており、商品２２２の商品コードが複数のリーダ装置４０１により読み取られる。本実施の形態では、広告表示媒体２２１の数は、載置台４０１Ａリーダ装置４０１の数よりも多くなっている。
【００６０】  表示制御装置２２０は、一つのリーダ装置４０１に属する複数の広告表示媒体２２１をリーダ装置４０１ごとに定義した情報を記憶し、商品コードを読み取ったリーダ装置４０１に属する複数の広告表示媒体２２１それぞれに、リーダ装置４０１が読み取った商品コードに対応する商品情報を表示させる。ここで、広告表示媒体２２１がリーダ装置４０１に属するとは、ある広告表示媒体２２１が一つのリーダ装置４０１に対応付けられていることを意味する。本実施の形態では、表示制御装置２０は、９つの広告表示媒体２２１それぞれを一つのリーダ装置４０１に属させ、リーダ装置４０１が読み取った商品コードに対応する商品情報を、商品コードを読み取ったリーダ装置４０１に属する９つの広告表示媒体２１それぞれに表示させる。なお、本実施の形態では、一つのリーダ装置４０１に属する広告表示媒体２２１の数を９つとしているが、複数であれば、一つのリーダ装置４０１に属させる広告表示媒体２２１の数は任意でよい。
【００６１】  載置台４０１Ａのリーダ装置４０１の形態は、商品コードを商品２２２に付加する形態に依存する。通常、商品コードをエンコードしたバーコードが商品２２２に印刷されているため、このバーコードを利用する場合、リーダ装置４０１の形態はバーコードリーダになる。しかし、バーコードの印刷位置は商品２２２ごとに異なるため、本実施の形態では、商品コードを記憶させたＲＦタグ２２３（RF: Radio Frequency）を商品２２２の所定位置（例えば、底面）に貼付し、ＲＦタグ２２３と無線によりデータ通信する装置（ＲＦタグ２２３用のリーダライタ）によりリーダ装置４０１を実現している。
【００６２】  商品２２２に貼付するＲＦタグ２２３に記憶させる商品コードは、商品情報表示システム２０２で独自に定めたデータでもよいが、商品２２２に印刷されているバーコードにエンコードされているデータを商品コードに用いることが好適である。また、ＲＦタグ２２３を貼り付ける商品２２２は、商品情報表示システム２０２を設置する店舗で販売されている販売商品でもよいが、この販売商品の試用商品であってもよい。
【００６３】  図１１は、第３の実施の形態に係る商品情報表示システム２０２のブロック図である。第３の実施の形態に係る商品情報表示システム２０２は、電子ペーパー２２１ａを用いて情報を表示する複数の広告表示媒体２２１を備える。電子ペーパー２２１ａを用いて情報を表示する広告表示媒体２２１の形態は任意である。広告表示媒体２２１は、電子ＰＯＰの形態でもよいが、第３の実施の形態では、スウィングＰＯＰの形態をなしている。広告表示媒体２２１をスウィングＰＯＰの形態にすることで、消費者に対するアイキャッチ効果を高めることができる。なお、第３の実施の形態では、複数の広告表示媒体２２１をマトリクス状（６行９列）に配置しているが、広告表示媒体２２１の配置の仕方は任意でよい。
【００６４】  図１１で図示したように、商品情報表示システム２０２の表示制御装置２２０は、商品２２２から商品コードを読み取る複数のリーダ装置４０１のうち、一つのリーダ装置４０１に属させる複数の広告表示媒体２２１をリーダ装置４０１ごとに定義した定義情報４０２を記憶し、商品コードを読み取ったリーダ装置４０１に属する複数の広告表示媒体２２１それぞれに、リーダ装置４０１が読み取った商品コードに対応する商品情報を表示させる処理を実行するコントローラ４００を備える。また、表示制御装置２２０は、広告表示媒体２２１に表示させる商品情報を記憶したＤＢ（Data Base）である商品情報ＤＢ２２４と接続する。
【００６５】  上述したように、本実施の形態では、ＲＦタグ２２３用のリーダライタによりリーダ装置４０１を実現している。このためリーダ装置４０１は、電力を供給するための電波を発信し、この電波を利用してＲＦタグ２２３と通信するＲＦインターフェース回路と、表示制御装置２２０のコントローラ４００と通信し、コントローラ４００から受信した指示を実行する制御回路などを有する。なお、商品２２２に貼付するＲＦタグ２２３の種別は問わない。商品２２２に貼付するＲＦタグ２２３は、ＩＳＯ１４４４３で規格化されている近接型ＩＣカードでもよいが、ＲＦタグ２２３をラベル形状にでき、かつ、ＲＦタグ２２３の価格が安価であることを考慮するとＩＳＯ１５６９３で規格化されている近傍型ＩＣカードを用いるのが好適である。なお、近傍型ＩＣカードの通信距離は数ｍにも及ぶため、近傍型ＩＣカードをＲＦタグ２２３に用いる場合、リーダ装置４０１に載せられたＲＦタグ２２３のみをリーダ装置４０１が検出できるように、リーダ装置４０１の電波出力を調整しておくことが必要になる。
【００６６】  一つのリーダ装置４０１に属する（対応する）複数の広告表示媒体２２１を定義する（特定する）手法は任意であるが、本実施の形態では、一つのリーダ装置４０１に属する（対応する）複数の広告表示媒体２２１を特定するために識別番号を利用する。本実施の形態では、広告表示媒体２２１およびリーダ装置４０１それぞれに識別番号を設定しておき、定義情報４０２には、リーダ装置４０１の識別番号に関連付けて、リーダ装置４０１に属する複数の広告表示媒体２２１の識別番号を記述している。
【００６７】  本実施の形態では、表示制御装置２２０に接続されたリーダ装置４０１の数を広告表示媒体２２１の数よりも小さくし、一つのリーダ装置４０１に９つの広告表示媒体２２１を属させているため（対応させるため）、定義情報４０２には、一つのリーダ装置４０１の識別番号に関連付けて９つの広告表示媒体２２１の識別番号が記述されている。例えば、上段左に配置されたリーダ装置４０１の識別番号は「１」で、識別番号が「１」のリーダ装置４０１には、左上隅に配置された９つの広告表示媒体２２１の識別番号が関連付けられる。
【００６８】  表示制御装置２２０が備える商品情報ＤＢ２２４には、商品（物品ともいう）２２２に貼り付けられたＲＦタグ２２３に記憶させた商品コードに対応付けて、商品コードに対応する商品２２２の商品情報が記憶されている。本実施の形態では、一つのリーダ装置４０１に複数の広告表示媒体２２１を対応付けているので、商品コードに対応させて、商品コードに対応する商品２２２についてはそれぞれカテゴリーの異なる複数の商品情報を記憶させることが望ましく、商品情報ＤＢ２２４に記憶させる商品情報としては、商品２２２のキャッチコピーや商品２２２のイメージ映像が考えられ、更に、ソーシャルネットワークサービスから取得した商品２２２の口コミ情報をも考えられる。なお、商品情報ＤＢ２２４を有する装置は、表示制御装置２２０に接続しているストレージデバイス（例えば、ハードディスク）でもよいが、ネットワークを介して表示制御装置２２０と接続しているストレージサーバでもよい。
【００６９】  表示制御装置２２０のコントローラ４００は、ＣＰＵ、ＲＡＭ、ＲＯＭおよびＮＶＭなど有するコンピュータで、ＲＯＭなどに記憶されたコンピュータプログラムに従い、所定の処理を実行する。
【００７０】  図１３は、本実施の形態の表示制御装置２２０の動作を説明する図である。まず載置台４０１Ａに商品２２２が載せられると、リーダ装置４０１は、表示制御装置２２０により制御され、商品２２２から商品コードを読み取る動作を周期的に行う。商品２２２から商品コードを読み取る動作を行うと（Ｓ２０）、商品コード読み取り結果とリーダ装置４０１の識別番号をコントローラ２００へ通知して（Ｓ２１）、図１３の手順は終了する。
【００７１】  本実施の形態では、商品コードをＲＦタグ２２３に記憶させているため、ＲＦタグ２２３用のリーダライタであるリーダ装置４０１は、ＲＦタグ２２３の検出に用いるコマンドであるリクエストコマンドを周期的に発信し、このリクエストコマンドを受信したＲＦタグ２２３が応答することで、リーダ装置４０１の通信距離内に存在するＲＦタグ２２３（リーダ装置４０１近傍のＲＦタグ２２３）を検出する。ＲＦタグ２２３を検出すると、検出したリーダ装置４０１はＲＦタグ２２３に記憶された情報を読み取るコマンドを送信し、検出したＲＦタグ２２３が記憶している商品コードを読み取る。
【００７２】  商品２２２から商品コードを読み取ることができた場合、リーダ装置４０１は、商品コードの読み取りに成功したことを示す情報と、商品２２２から読み取った商品コードを商品コード読み取り結果に含ませる。また、商品２２２から商品コードを読み取ることができなかった場合、リーダ装置４０１は、商品コードの読み取りに失敗したことを示す情報のみを商品コード読み取り結果に含ませる。
【００７３】  図１４は、本実施の形態の表示制御装置２２０が備えるコントローラ４００の動作を説明する図である。表示制御装置２２０のコントローラ４００は、リーダ装置４０１のいずれかから、商品コード読み取り結果を受信すると（Ｓ３０）、商品コード読み取り結果によって、商品コードの読み取りの成功が示されるか確認する（Ｓ３１）。
【００７４】  表示制御装置２２０のコントローラ４００は、商品コード読み取り結果によって、商品コードの読み取りの成功が示される場合、定義情報４０２を参照し、商品コード読み取り結果を通知したリーダ装置４０１に属する（対応する）広告表示媒体２２１（ここでは、このリーダ装置４０１と同じ識別番号が付与されている９つの広告表示媒体２２１になる）に商品情報を表示させているか確認する（Ｓ３２）。商品コード読み取り結果を通知したリーダ装置４０１に属する広告表示媒体２２１に商品情報を表示させていない場合、表示制御装置２２０のコントローラ４００は、リーダ装置４０１から通知された商品コード読み取りに対応する商品情報を商品情報ＤＢ２２４から検索し（Ｓ３３）、商品コードを通知したリーダ装置４０１に属する複数の広告表示媒体２２１それぞれに、商品情報ＤＢ２２４から検索した商品情報の表示を指示して（Ｓ３４）、図１４の手順は終了する。図１４のＳ３２において、商品コード読み取り結果を通知したリーダ装置４０１に属する複数の広告表示媒体２２１に商品情報をすでに表示させている場合、表示制御装置２２０のコントローラ４００は、リーダ装置４０１から通知された商品コードに対応する商品情報の表示を終了させることなく、図１４の手順は終了する。なお、商品コードに対応する商品２４２に係り、それぞれカテゴリーの異なる複数の商品情報を商品情報ＤＢ２２４に記憶させている場合、商品コード読み取り結果を通知したリーダ装置４０１に属する複数の広告表示媒体２２１それぞれに、商品コードに対応する商品２２２に係る一つの商品情報を表示させ、複数の広告表示媒体２２１を用いて全ての商品情報を表示させるとよい。
【００７５】  また、図１４のＳ３１において、商品コード読み取り結果によって、商品コードの読み取りの失敗が示される場合、表示制御装置２２０のコントローラ４００は、定義情報４０２を参照し、商品コード読み取り結果を通知したリーダ装置４０１に属する複数の広告表示媒体２２１それぞれに商品情報を表示させているか確認する（Ｓ３５）。商品コード読み取り結果を通知したリーダ装置４０１に属する複数の広告表示媒体２２１それぞれに商品情報を表示させていない場合、表示制御装置２２０のコントローラ４００は、商品コード読み取り結果を通知したリーダ装置４０１に従属する広告表示媒体２１へ商品情報を表示させることなく、図１４の手順は終了する。図１４のＳ３５において、商品コード読み取り結果を通知したリーダ装置４０１に属する複数の広告表示媒体２１それぞれに商品情報を表示させている場合、表示制御装置２２０のコントローラ４００は、商品コードの読み取り結果を通知したリーダ装置４０１に従属する複数の広告表示媒体２２１に対して商品情報の表示終了を指示して（Ｓ３６）、図１４の手順は終了する。
【００７６】  表示制御装置２２０のコントローラ４００が図１４の手順を実行することで、載置台４０１Ａに商品２２２が載せられると、載置台４０１Ａに載せられた商品２２２の商品情報が、商品２２２が載せられた載置台４０１Ａのリーダ装置４０１に従属する複数の広告表示媒体２２１に表示される。消費者が、比較検討したい商品２２２をそれぞれ異なる載置台４０１Ａに載せた場合、商品２２２の商品情報はそれぞれ異なる複数の広告表示媒体２２１（商品２２２を載せた載置台４０１Ａのリーダ装置４０１に属する複数の広告表示媒体２２１）に表示されることになる。図１０では、識別番号が「１」の載置台４０１Ａ（上段左の載置台４０１Ａ）に載せられた商品２２２の商品情報は、識別番号が「１」のリーダ装置４０１により読み取られて、識別番号が「１」のリーダ装置４０１に従属する９つの広告表示媒体２２１（左上隅に配置された９つの広告表示媒体２２１）に表示されている。また、識別番号が「６」の載置台４０１Ａ（下段右の載置台４０１Ａ）に載せられた商品２２２の商品情報は、識別番号が「６」のリーダ装置４０１により読み取られ、このリーダ装置４０１に従属する９つの広告表示媒体２２１（右下隅に配置された９つの広告表示媒体２２１）に表示されている。同一の商品情報を複数の広告表示媒体２２１に表示させる必要はなく、図１０では、９つの広告表示媒体２２１の中で上段になる３つの広告表示媒体２２１それぞれに商品２２２のキャッチコピーなどを表示し、中段になる３つの広告表示媒体２２１それぞれに商品２２２の販売順位を表示し、下段になる３つの広告表示媒体２２１それぞれに、ソーシャルネットワークサービスから取得した商品２２２の口コミ情報を表示している。
【００７７】＜本発明の変形例＞  図１２は、商品情報表示システム２０２の変形例を説明する図である。図１２で示すように、スウィングＰＯＰの形態の商品情報表示システム２０２は、商品情報の表示に用いる電子ペーパー２２１ａを含む広告表示媒体２２１と、広告表示媒体２２１に表示させる画像を制御する制御部２２１ｂと、電子ペーパー２２１ａからなる広告表示媒体２２１を搖動可能に支持し、広告表示媒体２２１と制御部２２１ｂと連結するスイング型アーム部２２１ｃを備え、電子ペーパー２２１ａと制御部２２１ｂとを電気的に接続する配線をアーム部２２１ｃに内蔵させた構成になっている。ここでスイング型アーム部２２１ｃとは、外力により容易にスイング可能なバネ性をもつアーム部をいう。
【００７８】  次に電子ペーパーを含む表示媒体の変形例について、図１５Ａ乃至図１５Ｄにより説明する。
【００７９】  上記各実施の形態において、電子ペーパーを含む表示媒体として立体状に形成され、かつ波形形状を含む構造のもの（図１Ａ、図１Ｂ、図３Ａ、図３Ｂ）、亀甲状のものまたは箱型のもの（図４、図５）、あるいは平坦状のものの例を示したが、これに限らず図１５Ａに示すように電子ペーパー２２１ａを含む表示媒体２２１は、断面Ｕ字状の構造をもっていてもよい。
【００８０】  あるいは電子ペーパー２２１ａを含む表示媒体２２１を湾曲する帯状に形成してもよく（図１５Ｂ）、あるいは電子ペーパー２２１ａを含む表示媒体２２１を半円筒状に形成してもよい（図１５Ｃ）。
【００８１】  あるいはまた表示媒体２２１は電子ペーパー２２１ａと、電子ペーパー２２１ａの上端および下端に設けられた一対の保持２３０、２３０を有していてもよい（図１５Ｄ）。
【００８２】  また、図１２に示す実施の形態において、商品情報表示システム２０２が電子ペーパー２２１ａを含む広告表示媒体２２１と、制御部２２１ｂと、これら広告表示媒体２２１と制御部２２１ｂとを連結するスイング型アーム部２２１ｃとを有するものの例を示したが、商品情報表示システム２０２は、電子ペーパー２２１ａを含む広告表示媒体２２１と、この広告表示媒体２２１に一体に形成された制御部２２１ｂとを有していてもよい（図１６参照）。
【００８３】  図１６において、一体に形成された広告表示媒体２２１と制御部２２１ｂは、外部フレーム２４０にバネ材料からなり外力によりスイング可能となるスイング型アーム部２２１ｃにより連結されている。
【符号の説明】
【００８４】  １  テスター陳列台  ２  テスター  ３  消費者  ４、５  テスター陳列台  １０  電子ペーパー  １０Ａ  表示媒体  １１  制御部  １２  テスター載置台  １３  センサ  ４０  電子ペーパー  ４０Ａ  表示媒体  ５０  電子ペーパー  ５０Ａ  表示媒体  １００  表面基材層  １００ａ  透明電極  １００ｂ  透明基材  １０１  表示媒体層  １０１ａ  ツイストボール  １０２  背面基材層  １０２ａ  画素電極  １０２ｂ  ドライバ層  １０２ｃ  背面基材  ２０１  商品情報表示システム  ２０２  商品情報表示システム  ２１０  表示制御装置  ２１１  広告表示媒体  ２１１ａ  電子ペーパー  ２１２  商品  ２２０  表示制御装置  ２２１  広告表示媒体  ２２１ａ  電子ペーパー  ２２２  商品  ３００  コントローラ  ３０１  リーダ装置  ３０１Ａ  載置台  ４０１  リーダ装置  ４０１Ａ  載置台
【図１Ａ】
2018151248.tif 000003
【図１Ｂ】
2018151248.tif 000004
【図２】
2018151248.tif 000005
【図３Ａ】
2018151248.tif 000006
【図３Ｂ】
2018151248.tif 000007
【図４】
2018151248.tif 000008
【図５】
2018151248.tif 000009
【図６】
2018151248.tif 000010
【図７】
2018151248.tif 000011
【図８】
2018151248.tif 000012
【図９】
2018151248.tif 000013
【図１０】
2018151248.tif 000014
【図１１】
2018151248.tif 000015
【図１２】
2018151248.tif 000016
【図１３】
2018151248.tif 000017
【図１４】
2018151248.tif 000018
【図１５Ａ】
2018151248.tif 000019
【図１５Ｂ】
2018151248.tif 000020
【図１５Ｃ】
2018151248.tif 000021
【図１５Ｄ】
2018151248.tif 000022
【図１６】
2018151248.tif 000023
【国際調査報告】
2018151248.tif 000024
2018151248.tif 000025
2018151248.tif 000026
2018151248.tif 000027
2018151248.tif 000028
2018151248.tif 000029
2018151248.tif 000030
2018151248.tif 000031
2018151248.tif 000032
2018151248.tif 000033